(57)【要約】      （修正有）【課題】クランプの係合部に掛止孔を形成し、該掛止孔に錠部材が掛止された構造にすることで、締付ボルトをクランプ装置から容易に離脱することができない盗難防止用のクランプ装置を提供することを目的とする。【解決手段】資材を抱持する抱持縁を有するベース部４と、資材を抱持する抱持縁を有し、前記ベース部４の基端部に回動自在に軸支された可動部５と、基端部が、前記ベース部４の先端部に回動自在に軸支された締付ボルト６と、前記可動部５の先端部に形成され、前記締付ボルト６が係合可能な係合部８と、前記締付ボルト６の先端部に螺合されたナット７と、前記係合部８に形成された掛止孔１０ａ、１０ｂとを有するクランプ本体２と、前記掛止孔１０ａ、１０ｂに掛止可能な掛止杆１１を備えた錠部材３と、を備えたことを特徴とする。【選択図】図１
0003202622.tif 000002
【実用新案登録請求の範囲】
【請求項１】
資材を抱持する抱持縁を有するベース部と、
資材を抱持する抱持縁を有し、前記ベース部の基端部に回動自在に軸支された可動部と、
基端部が、前記ベース部の先端部に回動自在に軸支された締付ボルトと、
前記可動部の先端部に形成され、前記締付ボルトが係合可能な係合部と、
前記締付ボルトの先端部に螺合されたナットと、
前記係合部に形成された掛止孔とを有するクランプ本体と、
前記掛止孔に掛止可能な掛止杆を備えた錠部材と、
を備えたことを特徴とするクランプ装置。
【請求項２】
前記係合部には、Ｕ字形の係合溝が形成され、該係合溝に前記締付ボルトの先端部が係合されている
ことを特徴とする請求項１に記載のクランプ装置。
【請求項３】
前記クランプ本体が、前記錠部材によって錠止されている
ことを特徴とする請求項１又は請求項２に記載のクランプ装置。
【請求項４】
請求項１乃至請求項３のいずれか１項に記載のクランプ装置を備え、該クランプ装置を用いて連結固定されている
ことを特徴とする連結構造体。
【請求項５】
前記連結構造体は、縦材用資材と横材用資材とを備え、
前記縦材用資材と前記横材用資材とは、少なくとも一つ以上の前記クランプ装置を用いて連結固定されている
ことを特徴とする請求項４に記載の連結構造体。
【請求項６】
前記連結構造体は、
ＬＥＤ光源を有する照明灯と、
該照明灯に電力を供給する蓄電池と、
太陽光を受光して発電を行う太陽電池を有し、該太陽電池が発電した電力を前記蓄電池に充電する太陽光パネルと、
を備え、
前記照明灯、前記蓄電池、前記太陽光パネルのうち、少なくともいずれか一つに前記クランプ装置が取り付けられている
ことを特徴とする請求項４に記載の連結構造体。
【請求項７】
前記連結構造体は、監視及び計測用カメラ装置を備え、
該監視及び計測用カメラ装置に前記クランプ装置が取り付けられている
ことを特徴とする請求項４に記載の連結構造体。
【考案の詳細な説明】
【技術分野】
【０００１】
本考案は、クランプ装置、及び、このクランプ装置を用いて連結固定された連結構造体に関し、特に、土木建築工事現場、道路工事現場等の各種工事現場において使用する土木建築資材・仮設資材を連結固定するクランプ装置、及び、このクランプ装置を用いて土木建築資材・仮設資材を連結固定して構成された連結構造体、又は、このクランプ装置を用いて連結固定して構成された照明装置、監視及び計測用カメラ装置、各種計測機器、保安・安全用品等の連結構造体に関するものである。
【背景技術】
【０００２】
従来、土木建築工事現場、道路工事現場等の各種工事現場において、工事に使用する資材の運搬、資材を用いた構造物の構築、仮設資材を用いた足場の施工等、様々な用途に応じてクランプ装置が用いられている。
【０００３】
この種のクランプ装置について、例えば、特許文献１には、「建築現場や土木現場などに設置する仮設足場における人の転落防止や部材，工具などの物の落下防止を目的とした幅木などの板材を固定するための板材固定用クランプ」（段落「０００１」参照。）に関して「取付杆部に被嵌して締付固定する締付クランプに、板材の上端部に係止する係止部を回動自在に設けて、底板の側部に外側に向けて傾斜状態に立設した前記板材のこの傾斜角度に応じて前記係止部の角度を回動調整してこの板材の前記上端部に前記係止部を係止し得るように構成したことを特徴とする傾斜状態に立設する板材固定用クランプ」（「請求項１」、図１〜図４等参照。）が記載されている。
【０００４】
また、特許文献２には、「建築や土木など各種の工事現場において使用する足場パイプを固定するためのパイプ用クランプ」（段落「０００１」参照。）に関して「１本の直立パイプに２本の水平パイプを同一高さ位置で保持して固定するためのクランプであって、１本の水平パイプを保持すると共に直立パイプに固定するメインクランプと、他の１本の水平パイプを保持すると共にメインクランプにて直立パイプに固定されるサブクランプと、から成り、メインクランプは、１本の水平パイプを保持する水平パイプ保持部と、直立パイプに固定する直立パイプ固定部とを有し、水平パイプ保持部の一端縁は直立パイプの中心軸を含む仮想平面内に位置し、サブクランプは、他の１本の水平パイプを保持する水平パイプ保持部と、直立パイプに沿う曲面部を備えた直立パイプ取付部とを有し、水平パイプ保持部の一端縁は直立パイプの中心軸を含む仮想平面内に位置し、メインクランプの直立パイプ固定部にてサブクランプの直立パイプ取付部を直立パイプに沿わせて固定するものであるパイプ用クランプ」（段落「請求項１」図１、図５、図６等参照。）が記載されている。
【０００５】
特許文献１に記載の「締付クランプ２」は、具体的には、「取付杆部１（仮設パイプ）を抱持する抱持縁を有する抱持部１７の基端に抱持縁を有する締付抱持部１８の基端を枢着し、抱持部１７の側部に後述する係止部４を回動自在に軸着するための軸ボルト１９を貫通する貫通孔を形成し、先端には締付ボルト２０の基端を枢着し、締付抱持部１８の先端をＵ字状に開口形成してこのＵ字状開口部を締付ボルト２０の先端を嵌入係合し得る嵌合部２１とし、この嵌合部２１に締付ボルト２０の先端を嵌入し、締付ボルト２０先端に螺合したナット２２を締付回動すると共に、締付ボルト２０を嵌合部２１に係止固定する構成」としている（段落「００３２」、図１〜図４参照。）。
【０００６】
特許文献２には、「メインクランプ１０は、水平パイプ保持部１１と直立パイプ固定部１２とから成っている。水平パイプ保持部１１はベース部１３と回動ピンＰで連結された可動部１４および締付ボルト１５とから構成されており、直立パイプ固定部１２はベース部１６と回動ピンＰで連結された可動部１７および締付ボルト１５とから構成されている。そして、水平パイプ保持部１１の一端縁ＧＭは直立パイプの中心軸Ｑを含む仮想平面内に位置している」（段落「００１０」、図１等参照。）と記載されているが、水平パイプ保持部１１、直立パイプ固定部１２のそれぞれが、上記特許文献１に記載の「締付クランプ２」と同様の構造をなしている。
【０００７】
しかしながら、上記のクランプの構造では、特許文献１の「締付クランプ２」についてみると、例えば、工事の振動等で「ナット２２」が逆回転して「締付ボルト２０」から外れ、「締付クランプ２」が「取付杆部１（仮設パイプ）」から脱落してしまう虞がある。さらに、「ナット２２」は簡単に人手で取り外せてしまう構造であることから、「締付クランプ２０」とこの「締付クランプ２０」で連結固定された「取付杆部１（仮設パイプ）」からなる「仮設足場」等の連結構造体は、容易に解体されて盗難される虞がある。
【０００８】
ここで、例えば、特許文献３には、前述した「工事の振動等で「ナット２２」が逆回転して「締付ボルト２０」から外れ、「締付クランプ２」が「取付杆部１（仮設パイプ）」から脱落してしまう虞がある」という問題を解消することができる「パイプを抱持する抱持縁を有する抱持体の一端に抱持縁を有する締付抱持体の基端を枢着してクランプ本体を構成し、このクランプ本体の抱持体の他端に締付ボルトの基端を枢着し、この締付ボルトの先端を締付抱持体の先端の係合部に係合し締付ボルトに螺合したナットを締め付け回動することによりパイプを締め付け抱持すると共に締付ボルトを係合部に係止固定するクランプにおいて、前記係合部のボルト挿入間隙間に、この係合部に係合した前記締付ボルトを係脱不能に保持するストッパー体を架設したことを特徴とする単管パイプ防護設備昇降用クランプ」が記載されているものと認められる。
【先行技術文献】
【特許文献】
【０００９】
【特許文献１】特開２０１０−２６１１９７号公報
【特許文献２】特開２０１０−００７４４０号公報
【特許文献３】登録実用新案第３０４０８２９号公報
【考案の概要】
【考案が解決しようとする課題】
【００１０】
しかしながら、特許文献３に「本考案では、係合部３のボルト挿入間隙３Ａ間に、この係合部３に係合した締付ボルト２を係脱不能に保持するストッパー体５を架設しているから、締付ボルト２を係合部３に係合してナット４止めすることによる強固な固定に加えて、このストッパー体５があることによる締付ボルト２の確実な抜け止め効果があることが視認でき、見た目にも固定状態が一層確固なものに見える」（段落「００１４」、図１、図２参照。）、「従って、例えば建築現場などでこのクランプを用いて仮設足場やハシゴなどを構築した場合において、この足場上やハシゴ上で作業する作業者に視覚上極めて大きな安心感を与えることとなり、作業者はたとえ高所でも安心して作業を行えることとなる」（段落「００１５」、図１、図２参照。）、「また、仮にナット４が緩んだり間違って緩めたとしても、締付ボルト２が外方に開くことがストッパー体５により防止されてこの締付ボルト２が確実にボルト挿入間隙３Ａ間に係脱不能に保持されることとなるから、パイプａに対して本発明品が簡単に脱落してしまうようなことがなく安全性に秀れる」（段落「００１６」、図１、図２参照。）、「また、前記ストッパー体５をピン状に構成し、このストッパー体５を差し込み係止する係止孔６を前記係合部３先端に設ければ、図１に示すように単にピンを抜き差しするだけのワンタッチの動作でストッパー体５の係合部３に対する装着脱操作を行えるため非常に操作性に秀れ、また、このようにストッパー体５の着脱操作をワンタッチで行えるから係合部３の挿入間隙３Ａに締付ボルト２を係合・係脱する際の作業性を損なうこともなく良好な作業性を維持できることとなる」（段落「００１７」、図１、図２参照。）、「また、前記ストッパー体５に割ピン５Ａを採用すれば、ストッパー体５の係止構造などが不要となり、また、部品コスト安となって安価な製品を提供できることとなる」、（段落「００１８」、図１、図２参照。）と記載されているように、特許文献３に記載の「単管パイプ防護設備昇降用クランプ」は、作業者の安心感や、良好な作業性を維持することを考慮して、「ストッパー体５」が容易に係合・離脱することができるように、「ストッパー体５」として「割ピン５Ａ」が用いられていることに特徴がある。このため、工事等の振動で「クランプ本体１」が「パイプａ」から脱落する問題は改善されていると推量されるものの、「割ピン５Ａ」は人手により簡単に「係止孔６」から離脱させることができるので、「クランプ本体１」とこの「クランプ本体１」で連結固定された「パイプａ」からなる「仮設足場」等の連結構造体は、依然として、容易に解体されて盗難される虞がある。
【００１１】
かかる事情に鑑みてなされたものであり、本考案は、クランプ本体の係合部に掛止孔を形成し、該掛止孔に錠部材が掛止された構造にすることで、締付ボルトをクランプ本体から容易に離脱することができないクランプ装置を提供することを目的とする。
【００１２】
また、本考案は、前記クランプ装置を用いて土木建築資材、仮設資材等の各種資材を連結固定して連結構造体を構成することで、前記クランプ装置を前記資材から容易に離脱することができない盗難防止用の連結構造体を提供することを目的とする。
【課題を解決するための手段】
【００１３】
上記の目的を達成するため、請求項１の考案では、資材を抱持する抱持縁を有するベース部と、資材を抱持する抱持縁を有し、前記ベース部の基端部に回動自在に軸支された可動部と、基端部が、前記ベース部の先端部に回動自在に軸支された締付ボルトと、前記可動部の先端部に形成され、前記締付ボルトが係合可能な係合部と、前記締付ボルトの先端部に螺合されたナットと、前記係合部に形成された掛止孔とを有するクランプ本体と、前記掛止孔に掛止可能な掛止杆を備えた錠部材と、を備えたことを特徴とするクランプ装置。
【００１４】
また、請求項２の考案では、請求項１の考案において、前記係合部には、Ｕ字形の係合溝が形成され、該係合溝に前記締付ボルトの先端部が係合されていることを特徴とする。
【００１５】
また、請求項３の考案では、請求項１又は請求項２の考案において、前記クランプ本体が、前記錠部材によって錠止されていることを特徴とする。
【００１６】
また、請求項４の考案では、連結構造体であって、請求項１乃至請求項３のいずれか１項に記載のクランプ装置を備え、該クランプ装置を用いて連結固定されていることを特徴とする。
【００１７】
また、請求項５の考案では、請求項４の考案において、縦材用資材と横材用資材を備え、前記縦材用資材と前記横材用資材とは、少なくとも一つ以上の前記クランプ装置を用いて連結固定されていることを特徴とする。
【００１８】
また、請求項６の考案では、請求項４の考案において、ＬＥＤ光源を有する照明灯と、該照明灯に電力を供給する蓄電池と、太陽光を受光して発電を行う太陽電池を有し、該太陽電池が発電した電力を前記蓄電池に充電する太陽光パネルと、を備え、前記照明灯、前記蓄電池、前記太陽光パネルのうち、少なくともいずれか一つに前記クランプ装置が取り付けられていることを特徴とする。
【００１９】
また、請求項７の考案では、請求項４の考案において、監視及び計測用カメラ装置を備え、該監視及び計測用カメラ装置に前記クランプ装置が取り付けられていることを特徴とする。
【考案の効果】
【００２０】
本考案のクランプ装置によれば、クランプ本体の係合部に掛止孔を形成し、該掛止孔に錠部材が掛止された構造にすることで、締付ボルトをクランプ本体から容易に離脱することができないという顕著な効果を奏することができる。
【００２１】
また、本考案の連結構造体によれば、前記クランプ装置を用いて土木建築資材、仮設資材等の各種資材を連結固定した構成することで、前記クランプ装置を前記資材から容易に離脱することができず、盗難防止として顕著な効果を奏することができる。
【図面の簡単な説明】
【００２２】
【図１】本考案の実施形態１におけるクランプ装置の外観を示す斜視図である。
【図２】本考案の実施形態１におけるクランプ装置のクランプ本体の斜視図である。
【図３】本考案の実施形態１におけるクランプ装置のクランプ本体の平面図である。
【図４】本考案の実施形態１におけるクランプ装置の作用・効果を説明する図である。
【図５】本考案の実施形態２における連結構造体の全体外観図である。
【図６】本考案の実施形態２における連結構造体の要部外観図である。
【考案を実施するための形態】
【００２３】
以下、好適な実施形態を用いて本考案をさらに具体的に説明する。但し、下記の実施形態は本考案を具現化した例に過ぎず、本考案はこれに限定されるものではない。
【００２４】
（実施形態１）
まず、本実施形態１のクランプ装置について図１〜図４を参照しながら説明する。本実施形態１のクランプ装置１は、図１に示すように、クランプ本体２と錠部材３とを備えた構造をなしている。クランプ本体２は、土木建築資材・仮設資材（以下、単に「資材」という。）として用いられる鋼管パイプ等を抱持する抱持縁を有するベース部４の基端部に、抱持縁を有する可動部５の基端部がピン５ａで軸支され、ベース部４の先端部には、締付ボルト６の基端部がピン５ｂで軸支され、締付ボルト６の先端部にはナット７が螺合されている。可動部５はピン５ａを支点として回動自在であり、締付ボルト６はピン５ｂを支点として回動自在である。ベース部４の側面には、資材、あるいは、別のクランプ装置を連結固定するための連結孔４ａ，４ｂが開孔されている。
【００２５】
可動部５の先端の係合部８には、Ｕ字状の係合溝９形成され、この係合溝９に締付ボルト６の先端部が嵌入係合され、ナット７を締付回動して締付ボルト６が係合部８に係止固定されることで、クランプ本体２が資材（不図示）に連結固定される構造をなしている。
【００２６】
また、係合部８には、掛止孔１０ａ，１０ｂが形成されており、錠部材３の掛止杆１１を掛止孔１０ａ，１０ｂに掛止して、錠部材３がクランプ本体２に錠止された構造をなしている。錠部材３は、図１に示すように、ケーシング部１２と掛止杆１１とから構成されており、錠止された錠部材３を解錠するときは、図示しない鍵部材を用いる。図１に示す錠部材３は、いわゆる「南京錠」であるが、掛止孔１０ａ，１０ｂに掛止可能な掛止杆を有する錠部材であれば、特に「南京錠」に限定されることはない。また、鍵式に限定されず、ダイアル式、カード式等その他の手段で施錠・解錠ができる錠部材でもよい。
【００２７】
このように、本実施形態１のクランプ装置１は、クランプ本体２と錠部材３で構成され、締付ボルト６を用いて資材に連結固定されたクランプ本体２をさらに錠部材３で錠止する構成にしたので、万一、工事の振動等でナット７が逆回転して締付ボルト６から外れたとしても、あるいは、資材の盗難目的でナット７を人手で取り外したとしても、錠部材３の掛止杆１１が掛止孔１０ａ，１０ｂに掛止されており、さらに、錠部材３は鍵部材がなければ解錠できないので、クランプ本体２は、連結固定された資材から脱落する虞がなく、連結固定された資材からクランプ装置１を取り外すことはできない。図４は、クランプ装置１の作用・効果を説明する図である。図示するように、締付ボルト６からナット７が完全に取り外され、締付ボルト６を係合溝９から離脱させようとしても、締付ボルト６が錠部材３の掛止杆１１に係止されるので、錠部材３を所定の鍵部材で解錠しない限り、締付ボルト６を係合溝９から離脱することは不可能である。なお、ナット７が外れて締付ボルト６が回動可能になった状態において、締付ボルト６の長さを、掛止杆１１に掛止される長さに形成しておくことは、言うまでもない。
【００２８】
（実施形態２）
次に、本実施形態１のクランプ装置１を用いて資材を連結固定して構成された連結構造体について図５、図６等を参照しながら説明する。図５に示すように、本実施形態２の連結構造体５０は、複数のクランプ装置１を用いて、複数の資材５１を連結固定した構造をなしている。資材５１は、縦材用の資材５１ａと、横材用の資材５１ｂと、斜材用の資材５１ｃと、板状資材５１ｄを備え、それぞれの資材５１ａ〜５１ｄは、適宜、１つ、又は、複数のクランプ装置１を組み合わせて、連結固定されている。本実施形態２では、縦材用の資材５１ａと横材用の資材５１ｂと斜材用の資材５１ｃは、鋼管からなる単管パイプで形成されている。縦材用の資材５１ａ、横材用の資材５１ｂ、斜材用の資材５１ｃ、板状資材５１ｄ等の資材５１には、仮設資材も含まれるものとする。この連結構造体５０は、特に、工事現場等の仮設足場等に用いられる。最下部の縦材用資材５１ａの下端部には、鍔状の安定板５２が取り付けられている。なお、連結構造体としては、縦材用の資材５１ａと、横材用の資材５１ｂと、斜材用の資材５１ｃと、板状資材５１ｄとを全て用いて連結固定した構成に限定されるものではなく、これらの資材のうちのいくつか、あるいは、必要であれば他の資材を用いて構成してもよく、例えば、少なくとも、縦材用資材５１ａと横材用資材５１ｂとで構成された構成であってもよい
【００２９】
図６は、図５の仮設足場としての連結構造体における縦材用資材５１ａと横材用資材５１ｂとの連結部分を拡大した図である。図６に示すように、本実施形態２の連結構造体５０においては、クランプ装置１のベース部４の外側が横材用の資材５１ｂに接合されて連結固定され、ベース部４の内側の抱持縁と可動部５の内側の抱持縁とで、縦材用の資材５１ａを抱持し、係合溝９に締付ボルト６の先端部が嵌入係合され、ナット７を締付回動して締付ボルト６が係合部８に係止固定されることで、クランプ本体２が縦材用資材５１ａに連結固定されている。そして、掛止孔１０ａ，１０ｂに錠部材３の掛止杆１１が掛止されている。このようにして、縦材用資材５１ａにクランプ装置１が錠止されている。
【００３０】
なお、例えば、特許文献２の図５に示すように、クランプ装置１に別のクランプ装置１を連結して、２つのクランプ装置１を用いて、一方を縦材用資材５１ａに連結固定し、他方を横材用資材５１ｂに連結固定してもよい。また、連結部の接続構成に応じて、クランプ装置１を三つ以上連結して、それぞれのクランプ装置を資材と連結する構成にしてもよい。
【００３１】
ここで、縦材用資材５１ａと横材用資材５１ｂとの連結に用いるクランプ装置は、全て本実施形態１のクランプ装置１である必要はなく、一部は、特許文献１、２に示すような錠部材が設けられていないクランプであってもよい。どの連結部分に本実施形態のクランプ装置１を設けるかについては、盗難防止、作業効率等を考慮し、適宜決めればよい。
【００３２】
クランプ装置１で連結された資材５１は、前述したように錠止された構造であるので、万一、工事の振動等で締付ボルト６が係合部８から外れたとしても、錠部材３の掛止杆１１が掛止孔１０ａ，１０ｂに掛止されているので、クランプ本体２が、連結された資材５１から脱落する虞がなく、さらに、ナット７を盗難目的で人手で取り外したとしても、錠部材３は、錠部材３専用の鍵がなければ解錠できないので、連結された資材５１からクランプ装置１を取り外して、連結構造体５０を解体して盗難することは極めて困難である。
【００３３】
（変形例）
以下、実施形態１の連結構造体５０の変形例について説明する。本発明のクランプ装置１は、以下に示すように種々の連結構造体に用いられる。
近年、光源の発光ダイオード（ＬＥＤ）を発光させる照明灯と、この照明灯に電力を供給する蓄電池と、太陽光を受光して発電を行う複数の太陽電池を有し、この太陽電池が発電した電力を前記蓄電池に充電する太陽光パネルとを備えた照明装置がある。このような照明装置は、通常、支柱に取り付けられて用いられるが、例えば、照明装置を工事現場等の仮設照明として用いる場合、工事期間中は、照明装置を支柱に取付け、工事が終了したら照明装置を支柱から取り外す必要がある。また、取り外した照明装置を次の工事現場で組み立てて支柱に取付け仮設照明として利用する必要がある。従って、照明装置の保管、運搬、取付け作業等の経費や効率性を考慮すると、照明装置は、支柱に簡単に着脱できる組立型の構成であることが望ましいので、例えば、照明灯、蓄電池、太陽光パネルのそれぞれを独立に形成しておき、それぞれに従来のクランプ装置（例えば、上記の特許文献１〜３参照。）を設けることで、照明灯、蓄電池、太陽光パネルを支柱に容易に連結固定し、また、容易に取り外しができるように構成した組立型照明装置が考えられる。
【００３４】
しかしながら、従来のクランプ装置を用いると、支柱に取り付けたクランプ装置が、上述したように、支柱から容易に離脱されて、その結果、照明灯、蓄電池、太陽光パネル等が盗難されてしまう虞がある。特に太陽光パネルのＬＥＤは高価であるので、盗難され易い。
【００３５】
そこで、この盗難防止のため、照明灯、蓄電池、太陽光パネルのそれぞれを、独立に小型化して形成し、それぞれに本発明のクランプ装置１を設けることで、照明灯、蓄電池、太陽光パネル、それぞれが支柱に錠止されることになり、盗難防止に顕著な効果を奏することができる。
【００３６】
また、この組立型照明装置に、前記の太陽光パネル、蓄電池、照明灯とは独立に、あるいは、照明灯に内蔵して防犯カメラが設けられることもある。上述のＬＥＤ同様、防犯カメラも高価であるので、盗難されやすい。照明灯に内蔵されるタイプの防犯カメラは、上述のように照明灯に本発明のクランプ装置１を取り付けることで、盗難を防止することができる。また、支柱に防犯カメラを独立に取り付ける場合は、防犯カメラに本発明のクランプ装置１を取り付けて支柱に連結固定し、錠止すればよい。
【００３７】
また、照明装置に設けられる防犯カメラだけでなく、監視及び計測用カメラ装置、各種計測機器、保安・安全用品等を支柱に取り付け連結固定して連結構造体を構成する場合にも、同様に、これらの、監視及び計測用カメラ装置、各種計測機器、保安・安全用品等に本発明のクランプ装置１を取り付け、このクランプ装置１を支柱に連結固定して錠止することで、盗難を防止することができる。
【００３８】
なお、本変形例においても、支柱に着脱される構成部品が複数あるときには、少なくともいずれか一つに本発明のクランプ装置１が設けられる構成にしてもよい。例えば、上記の防犯カメラのないタイプの組立型照明装置の場合、高価なＬＥＤを有する太陽光パネルだけに本発明のクランプ装置１を設け、照明灯及び蓄電池には、従来のクランプ装置を設ける構成にすることもできる。
【００３９】
また、クランプ装置１が連結固定される資材（仮資材を含む。）、支柱等は、丸形のパイプに限定されず、角形のパイプであってもよく、また、例えば、鋼材のように、中空形状でなくてもよい。そのときに、クランプ装置１のベースの抱持縁の形状、可動部の抱持縁の形状を、連結される対象に適合させるように適宜変更してもよい。
【符号の説明】
【００４０】
１          クランプ装置
２          クランプ本体
３          錠部材
４          ベース部
４ａ，４ｂ  連結孔
５          可動部
５ａ，５ｂ  ピン
６          締付ボルト
７          ナット
８          係合部
９          係合溝
１０ａ，１０ｂ  掛止孔
１１        掛止杆
１２        ケーシング部
５０        連結構造体
５１        資材
５１ａ      縦材用資材
５１ｂ      横材用資材
５１ｃ      斜め材用資材
５１ｄ      板材用資材
５２        安定板
【図１】
0003202622.tif 000003
【図２】
0003202622.tif 000004
【図３】
0003202622.tif 000005
【図４】
0003202622.tif 000006
【図５】
0003202622.tif 000007
【図６】
0003202622.tif 000008